(57)【要約】【課題】ダイジェストタイトルのムーブを実現させる。【解決手段】ムーブ先機器は、オリジナルタイトルのダイジェスト再生情報に基づいて、暗号化AVCストリームとAVCファイルライセンスデータとからなるダイジェスト用ムーブデータを生成する（Ｓ４）。ムーブ先機器は、ダイジェスト用ムーブデータのAVCファイルライセンスデータと、オリジナルタイトルとを関連付ける（Ｓ５）。ムーブ先機器は、ダイジェスト用ムーブデータをムーブ先機器へ転送する（Ｓ６）。ムーブ元機器は、オリジナルタイトルの視聴権を無くし、不活性（再生不可）状態にする（Ｓ７）。本発明は、例えばコンテンツを送受信して再生を行う再生装置に適用可能である。【選択図】図１１
2008067333.tif 000002
【特許請求の範囲】
【請求項１】
ストリームデータと、前記ストリームデータ全体のうちの一部分を切り取ってそれらを繋げ合わせたものと等価な再生をダイジェストタイトルの再生として管理するためのダイジェスト再生情報とを少なくとも含むオリジナルタイトルに対して、処理を施す情報処理装置において、
前記ダイジェストタイトルのムーブ元からムーブ先へのムーブアウトを実現させる処理として、
前記ストリームデータと前記ダイジェスト再生情報とに基づいて、前記ダイジェストタイトルの再生を前記ムーブ先で実現させるデータとして、ダイジェエスト用ムーブデータを生成する生成処理と、
前記生成処理により生成された前記ダイジェスト用ムーブデータと、前記オリジナルタイトルとを前記ムーブ元において関連付ける関連付け処理と、
前記生成処理により生成された前記ダイジェスト用ムーブデータを処理対象として、前記処理対象の前記ムーブ元における状態を不活性状態として、前記処理対象を前記ムーブ先に対してコピーすることで、前記処理対象の転送を行う転送処理と、
前記オリジナルタイトルの前記ムーブ元における状態を不活性状態にする不活性化処理と
を所定の順番で個別に実行することを制御する制御手段
を備える情報処理装置。
【請求項２】
前記制御手段は、
前記生成処理の制御として、
前記ストリームデータと前記ダイジェスト再生情報に基づいて、前記ダイジェストタイトルに対応する転送用ストリームデータを生成し、
前記転送用ストリームデータを暗号化することで、暗号化転送用ストリームデータを生成し、
前記暗号化転送用ストリームデータを復号させて再生可能とするために必要なデータを、ライセンスデータとして生成し、
前記暗号化転送用ストリームデータと前記ライセンスデータとの組を、前記ダイジェスト用ムーブデータとして生成するまでの一連の処理を制御し、
前記関連付け処理の制御として、
前記ライセンスデータと前記オリジナルタイトルとを関連付ける処理を制御する
請求項１に記載の情報処理装置。
【請求項３】
前記制御手段は、さらに、前記オリジナルタイトルの前記ムーブ先から前記ムーブ元へのムーブバックを実現させる処理として、
前記ムーブ元における第１のダイジェスト用ムーブデータと、前記ムーブ先における第２のダイジェスト用ムーブデータとが一致するか否かの認証を行う認証処理と、
前記認証処理による前記認証の成功後、前記関連付け処理により前記第１のダイジェスト用ムーブデータと関連付けられた前記オリジナルタイトルの前記ムーブ元における状態を、活性状態にする活性化処理と、
前記認証処理による前記認証の成功後、前記ムーブ先における前記第２のダイジェスト用ムーブデータを削除する削除処理と
を所定の順番で個別に実行する制御を行う
請求項１に記載の情報処理装置。
【請求項４】
ストリームデータと、前記ストリームデータ全体のうちの一部分を切り取ってそれらを繋げ合わせたものと等価な再生をダイジェストタイトルの再生として管理するためのダイジェスト再生情報とを少なくとも含むオリジナルタイトルに対して、処理を施す情報処理装置の情報処理方法において、
前記ダイジェストタイトルのムーブ元からムーブ先へのムーブアウトを実現させるステップとして、
前記ストリームデータと前記ダイジェスト再生情報とに基づいて、前記ダイジェストタイトルの再生を前記ムーブ先で実現させるデータとして、ダイジェスト用ムーブデータを生成する生成ステップと、
前記生成ステップの処理で生成された前記ダイジェスト用ムーブデータと、前記オリジナルタイトルとを前記ムーブ元において関連付ける関連付けステップと、
前記生成ステップの処理で生成された前記ダイジェスト用ムーブデータを処理対象として、前記処理対象の前記ムーブ元における状態を不活性状態として、前記処理対象を前記ムーブ先に対してコピーすることで、前記処理対象の転送を行う転送ステップと、
前記オリジナルタイトルの前記ムーブ元における状態を不活性状態にする不活性化ステップと
を含み、
前記情報処理装置が、前記生成ステップ、前記関連付けステップ、前記転送ステップ、前記不活性化ステップの各処理を所定の順番で個別に実行する情報処理方法。
【請求項５】
ストリームデータと、前記ストリームデータ全体のうちの一部分を切り取ってそれらを繋げ合わせたものと等価な再生をダイジェストタイトルの再生として管理するためのダイジェスト再生情報とを少なくとも含むオリジナルタイトルに対して、制御を行うコンピュータに実行させるプログラムであって、
前記ダイジェストタイトルのムーブ元からムーブ先へのムーブアウトを実現させるステップとして、
前記ストリームデータと前記ダイジェスト再生情報とに基づいて、前記ダイジェストタイトルの再生を前記ムーブ先で実現させるデータとして、ダイジェスト用ムーブデータを生成する生成ステップと、
前記生成ステップの処理で生成された前記ダイジェスト用ムーブデータと、前記オリジナルタイトルとを前記ムーブ元において関連付ける関連付けステップと、
前記生成ステップの処理で生成された前記ダイジェスト用ムーブデータを処理対象として、前記処理対象の前記ムーブ元における状態を不活性状態として、前記処理対象を前記ムーブ先にコピーすることで、前記処理対象の転送を行う転送ステップと、
前記オリジナルタイトルの状態を不活性状態にする不活性化ステップと
を含み、
前記コンピュータが、前記生成ステップ、前記関連付けステップ、前記転送ステップ、前記不活性化ステップの各処理を所定の順番で個別に実行するプログラム。
【発明の詳細な説明】
【技術分野】
【０００１】
本発明は、情報処理装置および方法並びにプログラムに関し、特に、オリジナルタイトルから派生したダイジェストタイトルのムーブアウトやムーブバックが実現できるようになった情報処理装置および方法並びにプログラムに関する。
【背景技術】
【０００２】
近年、映像や音声などのコンテンツが広く利用されるようになり、また、これらのコンテンツをデジタルデータとして記録／再生することが可能な記録再生装置の普及も進んでいる。例えば、DVD（Digital Versatile Disc）やHDD（Hard Disc Drive）などに放送コンテンツをデジタルデータとして保存可能な記録装置が急速に普及している。また、放送衛星を用いたデジタル放送に次いで、最近では地上波によるデジタル放送も開始されている。これらのデジタル放送では、従来の放送より高解像度であるHDV（High Definition Television）の映像が放送されており、このような放送コンテンツをそのままの画質で光ディスクなどに記録可能な記録装置の開発も進んでいる。
【０００３】
ここに、コンテンツとは、広く、人間の創造的活動により生み出されるものである。例えば、映画、音楽、演劇、文芸、写真、漫画、アニメーション、コンピュータゲームその他の文字、図形、色彩、音声、動作若しくは映像若しくはこれらを組み合わせたものまたはこれらに係る情報を電子計算機を介して提供するためのプログラムが、コンテンツの一例である。ただし、本明細書では、いわゆるコンテンツデータ、即ち、人間の創造的活動により生み出されたものが装置によって処理可能な形態とされたもの、例えば電気信号とされたものや、メモリに固定されたもの等も、特に区別せずにまとめて、コンテンツと称する。
【０００４】
このように、高品質のコンテンツが可搬型の記録媒体に容易に保存できるようになるのに伴い、コンテンツの著作権保護の重要性が高まってきている。映像コンテンツに対する著作権保護の手法としては、映像コンテンツにコピーの可否を示すコピー制御情報（CCI：Copy Control Information ）を添付する手法が現在一般的に用いられている。例えば、コピー制御情報を用いることで、各映像コンテンツについて、コピーを制限しない状態（コピーフリー，Copy Free ）、１回のみのコピーを許可する状態（コピーワンス，Copy Once ）、コピーを禁止する状態（コピーネバー，Copy Never ）などの状態を取らせることが可能になる。なお、上述したデジタル放送では現在、すべてのコンテンツについて“コピーワンス”を示すコピー制御情報が添付されており、記録装置は通常、このようなコンテンツを“コピーネバー”としてから記録媒体に記録する。
【０００５】
また、“コピーネバー”とされて記録媒体に記録された映像コンテンツは、その記録媒体側での元のデータの消去を条件に、別の記録媒体にコピーすることが許可される。このような元のデータを消去して別の記録媒体にコピーする動作は“ムーブ（Move ）”と称されている。これにより例えば、映像コンテンツが、デジタル放送などを通じて記録装置に受信されて、その記録装置内のHDDに記録された場合、ユーザがその映像コンテンツを長期保存したい考えたときには、DVDなどのリムーバブルメディアにムーブすることが可能となる。その結果、ユーザの利便性の向上と、不正な大量コピーの防止との両立が図られる。
【０００６】
このように、ムーブ対象のコンテンツは、ムーブ元での消去を条件に、ムーブ先にコピーが可能である。さらに、ムーブ先にコピーされたコンテンツは、そのムーブ先での消去を条件に、ムーブ元に再コピーが可能である。即ち、ムーブ元からムーブ先への１回目のムーブと、その後のムーブ先からムーブ元への２回目のムーブとが可能である。以下、１回目のムーブをムーブアウトと称し、２回目のムーブをムーブバックと称する。
【０００７】
換言すると、ムーブアウトとは、コンテンツの使用権、例えば映像コンテンツの場合には視聴権を、ムーブ元からムーブ先に移すことであると捉えることもできる。逆に、ムーブバックとは、コンテンツの視聴権を、ムーブ先からムーブ元に戻すことであると捉えることもできる。
【０００８】
このようなムーブアウトやムーブバックを可能とする従来の装置としては、例えば特許文献１や２に開示された装置が挙げられる。
【特許文献１】特開２００６−４５４３号公報
【特許文献２】特開２００６−１０７１６５号公報
【発明の開示】
【発明が解決しようとする課題】
【０００９】
しかしながら、近年、オリジナルタイトルから派生したダイジェストタイトルのムーブアウトやムーブバック等のムーブを行いたいという要望があげられているが、特許文献１や２を含む従来の技術ではかかる要望に十分に応えられていない状況である。
【００１０】
ここに、ダイジェストタイトルとは、オリジナルタイトルの一部分、例えば図１の例ではオリジナルタイトルのうちのシーン１乃至３を切り取って、それらを繋げ合わせたコンテンツをいう。
【００１１】
本発明は、このような状況に鑑みてなされたものであり、オリジナルタイトルから派生したダイジェストタイトルのムーブを実現できるようにするものである。
【課題を解決するための手段】
【００１２】
本発明の一側面の情報処理装置は、ストリームデータと、前記ストリームデータ全体のうちの一部分を切り取ってそれらを繋げ合わせたものと等価な再生をダイジェストタイトルの再生として管理するためのダイジェスト再生情報とを少なくとも含むオリジナルタイトルに対して、処理を施す情報処理装置であって、前記ダイジェストタイトルのムーブ元からムーブ先へのムーブアウトを実現させる処理として、前記ストリームデータと前記ダイジェスト再生情報とに基づいて、前記ダイジェストタイトルの再生を前記ムーブ先で実現させるデータとして、ダイジェスト用ムーブデータを生成する生成処理と、前記生成処理により生成された前記ダイジェスト用ムーブデータと、前記オリジナルタイトルとを前記ムーブ元において関連付ける関連付け処理と、前記生成処理により生成された前記ダイジェスト用ムーブデータを処理対象として、前記処理対象の前記ムーブ元における状態を不活性状態として、前記処理対象を前記ムーブ先に対してコピーすることで、前記処理対象の転送を行う転送処理と、前記オリジナルタイトルの前記ムーブ元における状態を不活性状態にする不活性化処理とを所定の順番で個別に実行することを制御する制御手段を備える。
【００１３】
前記制御手段は、前記生成処理の制御として、前記ストリームデータと前記ダイジェスト再生情報に基づいて、前記ダイジェストタイトルに対応する転送用ストリームデータを生成し、前記転送用ストリームデータを暗号化することで、暗号化転送用ストリームデータを生成し、前記暗号化転送用ストリームデータを復号させて再生可能とするために必要なデータを、ライセンスデータとして生成し、前記暗号化転送用ストリームデータと前記ライセンスデータとの組を、前記ダイジェスト用ムーブデータとして生成するまでの一連の処理を制御し、前記関連付け処理の制御として、前記ライセンスデータと前記オリジナルタイトルとを関連付ける処理を制御する。
【００１４】
前記制御手段は、さらに、前記オリジナルタイトルの前記ムーブ先から前記ムーブ元へのムーブバックを実現させる処理として、前記ムーブ元における第１のダイジェスト用ムーブデータと、前記ムーブ先における第２のダイジェスト用ムーブデータとが一致するか否かの認証を行う認証処理と、前記認証処理による前記認証の成功後、前記関連付け処理により前記第１のダイジェスト用ムーブデータと関連付けられた前記オリジナルタイトルの前記ムーブ元における状態を、活性状態にする活性化処理と、前記認証処理による前記認証の成功後、前記ムーブ先における前記第２のダイジェスト用ムーブデータを削除する削除処理とを所定の順番で個別に実行する制御を行う。
【００１５】
本発明の一側面の情報処理方法は、ストリームデータと、前記ストリームデータ全体のうちの一部分を切り取ってそれらを繋げ合わせたものと等価な再生をダイジェストタイトルの再生として管理するためのダイジェスト再生情報とを少なくとも含むオリジナルタイトルに対して、処理を施す情報処理装置の情報処理方法であって、前記ダイジェストタイトルのムーブ元からムーブ先へのムーブアウトを実現させるステップとして、前記ストリームデータと前記ダイジェスト再生情報とに基づいて、前記ダイジェストタイトルの再生を前記ムーブ先で実現させるデータとして、ダイジェスト用ムーブデータを生成する生成ステップと、前記生成ステップの処理で生成された前記ダイジェスト用ムーブデータと、前記オリジナルタイトルとを前記ムーブ元において関連付ける関連付けステップと、前記生成ステップの処理で生成された前記ダイジェスト用ムーブデータを処理対象として、前記処理対象の前記ムーブ元における状態を不活性状態として、前記処理対象を前記ムーブ先に対してコピーすることで、前記処理対象の転送を行う転送ステップと、前記オリジナルタイトルの前記ムーブ元における状態を不活性状態にする不活性化ステップとを含み、前記情報処理装置が、前記生成ステップ、前記関連付けステップ、前記転送ステップ、前記不活性化ステップの各処理を所定の順番で個別に実行する情報処理方法。
【００１６】
本発明の一側面のプログラムは、上述した本発明の一側面の情報処理方法に対応するプログラムである。
【００１７】
本発明の一側面の情報処理装置および方法並びにプログラムにおいては、ストリームデータと、前記ストリームデータ全体のうちの一部分を切り取ってそれらを繋げ合わせたものと等価な再生をダイジェストタイトルの再生として管理するためのダイジェスト再生情報とを少なくとも含むオリジナルタイトルが存在する場合、そのオリジナルタイトルから派生したダイジェストタイトルのムーブ元からムーブ先へのムーブアウトが、次のような処理の実行により実現される。即ち、前記ストリームデータと前記ダイジェスト再生情報とに基づいて、前記ダイジェストタイトルの再生を前記ムーブ先で実現させるデータとして、ダイジェスト用ムーブデータを生成する生成処理と、前記生成処理により生成された前記ダイジェスト用ムーブデータと、前記オリジナルタイトルとを前記ムーブ元において関連付ける関連付け処理と、前記生成処理により生成された前記ダイジェスト用ムーブデータを処理対象として、前記処理対象の前記ムーブ元における状態を不活性状態として、前記処理対象を前記ムーブ先に対してコピーすることで、前記処理対象の転送を行う転送処理と、前記オリジナルタイトルの前記ムーブ元における状態を不活性状態にする不活性化処理とが、所定の順番で個別に実行されることで、上述したダイジェストタイトルのムーブアウトが実現される。
【発明の効果】
【００１８】
以上のごとく、本発明の一側面によれば、オリジナルタイトルに対する処理が実現できる。特に、オリジナルタイトルから派生したダイジェストタイトルのムーブが実現できる
【発明を実施するための最良の形態】
【００１９】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２０】
本発明の一側面の情報処理装置（例えば図１０のムーブ元機器５１）は、
ストリームデータ（例えば図４乃至図９のMPEG2ストリーム１１−１）と、前記ストリームデータ全体のうちの一部分を切り取ってそれらを繋げ合わせたものと等価な再生をダイジェストタイトルの再生として管理するためのダイジェスト再生情報（例えば図４乃至図９のダイジェスト再生情報１２−１）とを少なくとも含むオリジナルタイトル（例えば図４乃至図９のタイトル＃１）に対して、処理を施す情報処理装置において、
前記ダイジェストタイトルのムーブ元（例えば図４乃至図９の例では、ムーブ元機器５１）からムーブ先（例えば図４乃至図９の例では、ムーブ先機器５２）へのムーブアウトを実現させる処理として、
前記ストリームデータと前記ダイジェスト再生情報とに基づいて、前記ダイジェストタイトルの再生を前記ムーブ先で実現させるデータとして、ダイジェスト用ムーブデータ（例えば図４のダイジェスト用ムーブデータ４１）を生成する生成処理（例えば図４のステップＳmo1の処理）と、
前記生成処理により生成された前記ダイジェスト用ムーブデータと、前記オリジナルタイトルとを前記ムーブ元において関連付ける関連付け処理（例えば図５のステップＳmo2の処理）と、
前記生成処理により生成された前記ダイジェスト用ムーブデータを処理対象として、前記処理対象の前記ムーブ元における状態を不活性状態として、前記処理対象を前記ムーブ先に対してコピーすることで、前記処理対象の転送を行う転送処理（例えば図６のステップＳmo3の処理）と、
前記オリジナルタイトルの前記ムーブ元における状態を不活性状態にする不活性化処理（例えば図７のステップＳmo4の処理）と
を所定の順番で個別に実行することを制御する制御手段（例えば図１０の制御部１０１）
を備える。
【００２１】
前記制御手段は、
前記生成処理の制御として、
前記ストリームデータと前記ダイジェスト再生情報に基づいて、前記ダイジェストタイトルに対応する転送用ストリームデータを生成し、
前記転送用ストリームデータを暗号化することで、暗号化転送用ストリームデータ（例えば図４の暗号化AVCストリーム３１）を生成し、
前記暗号化転送用ストリームデータを復号させて再生可能とするために必要なデータを、ライセンスデータ（例えば図４のAVCファイルライセンスデータ３２）として生成し、
前記暗号化転送用ストリームデータと前記ライセンスデータとの組を、前記ダイジェスト用ムーブデータとして生成するまでの一連の処理を制御し、
前記関連付け処理の制御として、
前記ライセンスデータと前記オリジナルタイトルとを関連付ける処理を制御する。
【００２２】
前記制御手段は、さらに、前記オリジナルタイトルの前記ムーブ先から前記ムーブ元へのムーブバックを実現させる処理として、
前記ムーブ元における第１のダイジェスト用ムーブデータ（例えば図８のダイジェスト用ムーブデータ４１）と、前記ムーブ先における第２のダイジェスト用ムーブデータ（例えば図８のダイジェスト用ムーブデータ６１）とが一致するか否かの認証を行う認証処理（例えば図８のステップＳmb1の処理）と、
前記認証処理による前記認証の成功後、前記関連付け処理により前記第１のダイジェスト用ムーブデータと関連付けられた前記オリジナルタイトルの前記ムーブ元における状態を、活性状態にする活性化処理（例えば図９のステップＳmb2の処理）と、
前記認証処理による前記認証の成功後、前記ムーブ先における前記第２のダイジェスト用ムーブデータを削除する削除処理（例えば図９のステップＳmb3の処理）
を所定の順番で個別に実行する制御を行う。
【００２３】
本発明の一側面の情報処理装置の情報処理方法は、
ストリームデータと、前記ストリームデータ全体のうちの一部分を切り取ってそれらを繋げ合わせたものと等価な再生をダイジェストタイトルの再生として管理するためのダイジェスト再生情報とを少なくとも含むオリジナルタイトルに対して、処理を施す情報処理装置（例えば図１０のムーブ元機器５１）の情報処理方法において、
前記ダイジェストタイトルのムーブ元（例えば図１０のムーブ元機器５１の記憶部１０６）からムーブ先（例えば図１０のムーブ先機器５２）へのムーブアウトを実現させるステップ（例えば図１１のダイジェストムーブアウト処理）として、
前記ストリームデータと前記ダイジェスト再生情報とに基づいて、前記ダイジェストタイトルの再生を前記ムーブ先で実現させるデータとして、ダイジェスト用ムーブデータを生成する生成ステップ（例えば図１１のステップＳ４）と、
前記生成ステップの処理で生成された前記ダイジェスト用ムーブデータと、前記オリジナルタイトルとを前記ムーブ元において関連付ける関連付けステップ（例えば図１１のステップＳ５）と、
前記生成ステップの処理で生成された前記ダイジェスト用ムーブデータを処理対象として、前記処理対象の前記ムーブ元における状態を不活性状態として、前記処理対象を前記ムーブ先に対してコピーすることで、前記処理対象の転送を行う転送ステップ（例えば図１１のステップＳ６）と、
前記オリジナルタイトルの前記ムーブ元における状態を不活性状態にする不活性化ステップ（例えば図１１のステップＳ７）と
を含み、
前記情報処理装置が、前記生成ステップ、前記関連付けステップ、前記転送ステップ、前記不活性化ステップの各処理を所定の順番で個別に実行する。
【００２４】
本発明の一側面のプログラムは、例えば上述した本発明の一側面の情報処理方法のステップを含むプログラムであって、例えば図１０の制御部１０１を含むコンピュータにより実行される。
【００２５】
はじめに、図２乃至図９を参照して、本発明が適用されるムーブアウトやムーブバックの手法（以下、本発明の手法と称する）の概略について説明する。
【００２６】
本発明の手法では、ダイジェストタイトルがムーブ対象となる。
【００２７】
上述した［発明が解決しようとする課題］では説明の簡略上、ダイジェストタイトルとは、オリジナルタイトルの一部分を切り取って、それらを繋げ合わせたコンテンツをいう、と図１を用いて説明した。
【００２８】
ただし、より正確にいえば、ダイジェストタイトルという映像実データが存在しているのではなく、図２に示されるように、映像実データとしては、オリジナルタイトルの映像実データであるMPEG（Moving Picture Experts Group）2ストリーム１１が存在しており、そのMPEG2ストリーム１１の再生区間を管理しているダイジェスト再生情報１２に従って、MPEG2ストリーム１１が再生されると、結果として、オリジナルタイトルとしてのMPEG2ストリーム１１全体のうちの一部分を切り取ってそれらを繋げ合わせたコンテンツ、即ちダイジェストタイトルが再生されたことと等価になる。
【００２９】
即ち、セット（本実施の形態では、図４以降のムーブ元機器５１）内では、１つのコンテンツは、タイトルという概念で存在している。なお、ここでいうタイトルが、上述したオリジナルタイトルである。以下でも、ダイジェストタイトルとの差異を明確にする場合を除き、オリジナルタイトルを、タイトルと略称する。
【００３０】
そして、タイトルの単位で、映像実データであるMPEG2ストリーム１１と、それに関連する各種情報、例えば上述したダイジェスト再生情報１２の他メタ情報等が管理されている。
【００３１】
具体的には例えば、図３に示されるように、タイトル＃ｋ（ｋは、１乃至ｎの整数値。ｎは、１以上の整数値）では、メタ情報１３−ｋ、MPEG2ストリーム１１−ｋ、および、ダイジェスト再生情報１２−ｋが管理されている。
【００３２】
さらに、タイトル＃ｋの映像実データが転送される場合、映像実データは、MPEG2ストリーム１１−ｋの形態で転送されるわけではなく、図３に示されるように、暗号化AVCストリーム１４−ｋまたはAVCストリーム１６−ｋの形態で転送される。ここに、AVCストリームとは、いわゆるMPEG-4 AVC（MPEG-4 Advanced Video Coding）方式の映像実データをいう。
【００３３】
詳細には、タイトル＃ｋが、著作権保護対象外のコンテンツである場合、MPEG２ストリーム１１−ｋからAVCストリーム１６−ｋが生成され、このAVCストリーム１６−ｋが転送用データとして、タイトル＃ｋにより管理される。即ち、図３の例では、タイトル＃２においてAVCストリーム１６−２が管理されているので、このタイトル＃２は、著作権保護対象外のコンテンツであることを示している。
【００３４】
これに対して、タイトル＃ｋが、著作権保護対象のコンテンツである場合、MPEG２ストリーム１１−ｋからAVCストリーム１６−ｋが生成され、さらに、AVCストリーム１６−ｋが暗号化され、その結果得られる暗号化AVCストリーム１４−ｋが転送用データとして、タイトル＃ｋにより管理される。この場合、暗号化AVCストリーム１４−ｋを転送先で復号するために必要なデータ１５−ｋ（以下、図３の名称と併せて、AVCファイルライセンスデータ１５−ｋと称する）も、暗号化AVCストリーム１４−ｋと関連付けられて、タイトル＃ｋにより管理される。
【００３５】
即ち、図３の例では、タイトル＃１において暗号化AVCストリーム１４−１とAVCファイルライセンスデータ１５−１とが管理されているので、このタイトル＃１は、著作権保護対象のコンテンツであることを示している。同様に、タイトル＃ｎにおいて暗号化AVCストリーム１４−ｎとAVCファイルライセンスデータ１５−ｎとが管理されているので、このタイトル＃ｎは、著作権保護対象のコンテンツであることを示している。
【００３６】
なお、タイトル＃１において管理されている暗号化AVCストリーム１４−１は、オリジナルタイトルであるタイトル＃１用の転送映像データであって、後述するダイジェストタイトル用の転送映像データではないことに注意を要する。同様に、タイトル＃２において管理されている暗号化AVCストリーム１４−２は、オリジナルタイトルであるタイトル＃２用の転送映像データであって、ダイジェストタイトル用の転送映像データではないことに注意を要する。タイトル＃ｎにおいて管理されている暗号化AVCストリーム１４−ｎは、オリジナルタイトルであるタイトル＃ｎ用の転送映像データであって、ダイジェストタイトル用の転送映像データではないことに注意を要する。
【００３７】
即ち、図３の例では、タイトル＃１，＃ｎがムーブ対象候補であり、タイトル＃１全体のムーブアウトが行われる場合には、暗号化AVCストリーム１４−１およびAVCファイルライセンスデータ１５−１がムーブ先に転送されることになり、タイトル＃ｎ全体のムーブアウトが行われる場合には、暗号化AVCストリーム１４−ｎおよびAVCファイルライセンスデータ１５−ｎがムーブ先に転送されることになる。
【００３８】
各タイトル＃１乃至＃ｎにおいて管理されている情報のうちの、メタ情報１３−１乃至１３−ｎ、MPEG2ストリーム１１−１乃至１１−ｎ、および、ダイジェスト再生情報１２−１乃至１２−ｎからなるデータ群２１は、ユーザから見える状態で管理されている。これに対して、転送用のデータ群２２、即ち、暗号化AVCストリーム１４−１およびAVCファイルライセンスデータ１５−１、AVCストリーム１６−２、並びに、暗号化AVCストリーム１４−ｎおよびAVCファイルライセンスデータ１５−ｎは、ユーザから見えない状態で管理されている。
【００３９】
以下、図４乃至図９の例、即ち、オリジナルタイトルであるタイトル＃１から派生したダイジェストタイトルがムーブ対象となる場合を例として、本発明の手法について説明していく。
【００４０】
なお、図４乃至図９において、灰色の星印４２は、タイトル＃１の視聴権を示している。そこで、以下、かかる星印４２を視聴権４２と称する。この場合、図７等に示される白色の星印は、視聴権４２が無くなったことを意味している。
【００４１】
また、タイトル＃１が記述されたブロックの上のシンボルのうちの、丸印は、タイトル＃１が視聴可能であることを示している一方、丸の中に左斜線が存在するシンボルは、タイトル＃１が視聴不可能であることを示している。
【００４２】
また、MPEG2ストリーム１１−１、暗号化AVCストリーム１４−１、および、後述する暗号化AVCストリーム３１が灰色であることは、それらが活性状態であることを示している。活性状態とは、再生可能状態であることをいう。これに対して、MPEG2ストリーム１１−１、暗号化AVCストリーム１４−１、および、後述する暗号化AVCストリーム３１が白色であることは、それらが不活性状態であることを示している。不活性状態とは、再生不可能状態であることをいう。
【００４３】
図２を用いて説明したように、ダイジェストタイトルという映像実データ自体は存在しないので、ダイジェストタイトルのムーブアウトやムーブバックを実現するためには、ムーブ元機器とムーブ先機器との間で授受される映像実データ（以下、ダイジェスト用ムーブデータと称する）が必要となる。
【００４４】
そこで、図４に示されるように、ムーブ元機器５１は、ステップＳmo1において、MPEG2ストリーム１１−１とダイジェスト再生情報１２−１に基づいて、ダイジェスト用ムーブデータ４１を生成する。具体的には例えば、ムーブ元機器５１は、ダイジェスト再生情報１２−１に従ってMPEG2ストリーム１１−１が再生された場合にユーザに視聴される映像（音声等含む）に対応する映像実データを、AVCストリームの形態で生成する。そして、ムーブ元機器５１は、このAVCストリームを暗号化することで、暗号化AVCストリーム３１を生成し、また、その暗号化AVCストリーム３１を復号するためのAVCファイルライセンスデータ３２を生成する。このようにして生成された暗号化AVCストリーム３１とAVCファイルライセンスデータ３２とにより、ダイジェスト用ムーブデータ４１が構成されることになる。
【００４５】
次に、図５に示されるように、ムーブ元機器５１は、ステップＳmo2において、ダイジェスト用ムーブデータ４１のAVCファイルライセンスデータ３２をタイトル＃１と関連付ける。
【００４６】
そして、ムーブ元機器５１は、図６に示されるように、ステップＳmo3において、ダイジェスト用ムーブデータ４１をムーブ先機器５２に転送する。即ち、ムーブ元機器５１は、ダイジェスト用ムーブデータ４１をムーブ先機器５２にコピーし、ムーブ元におけるダイジェスト用ムーブデータ４１（コピー元のデータ）の暗号化AVCストリーム３１を不活性状態にする。
【００４７】
ここに、ムーブ元におけるダイジェスト用ムーブデータ４１と記述したのは、図６の例では、ダイジェスト用ムーブデータ４１はあたかもムーブ元機器５１内部に保持されているように描画されているが、実際には、その他、ムーブ元機器５１外部のリムーバブルメディア等にダイジェスト用ムーブデータ４１が保持されることもあるからである。即ち、後述するように、ムーブ元機器５１に内蔵された記録媒体（例えばハードディスク等）がムーブ元になる場合もあるし、ムーブ元機器５１の外部の記録媒体（例えばリムーバブルディスク等）になる場合もある。
【００４８】
なお、ムーブ元におけるダイジェスト用ムーブデータ４１（コピー元のデータ）と、それがムーブ先機器５２にコピーされたデータとを明確に区別すべく、そのコピーされたデータを、以下、図６に示されるように符号を変えて、ダイジェスト用ムーブデータ６１と称する。これに伴い、ダイジェスト用ムーブデータ６１を構成するデータも符号を変えて、暗号化AVCストリーム７１およびAVCファイルライセンスデータ７２と称する。
【００４９】
また、ムーブ元機器５１は、図７に示されるように、ステップＳmo4において、タイトル＃１の視聴権４２をムーブ先機器５２に移動させる。即ち、ムーブ元機器５１は、タイトル＃１のMPEG２ストリーム１１−１と暗号化AVCストリーム１４−１も不活性状態にする。
【００５０】
このような図４乃至図７のステップＳmo1乃至Ｓmo4の処理の結果、ダイジェストタイトルのムーブアウトが実現される。ただし、ステップＳmo2，Ｓmo3，Ｓmo4の各処理の順番は上述した順番に特に限定されず任意の順番としても、ダイジェストタイトルのムーブアウトは実現できる。即ち、ステップＳmo1乃至Ｓmo4の処理（ただし、その処理の順番は問わない）等により実現される手法が、本発明の手法のうちのダイジェストタイトルのムーブアウトの手法である。
【００５１】
次に、本発明の手法のうちのダイジェストタイトルのムーブバックの手法について説明する。
【００５２】
先ず、ムーブ元機器５１は、図８に示されるように、ステップＳmb1において、ムーブ先機器５２側のAVCファイルライセンスデータ７２が、ムーブ元機器５１内のAVCファイルライセンスデータ３２と一致するか否かの認証を行う。
【００５３】
この認証に成功することは、次のことを意味する。即ち、ムーブ先機器５２側のAVCファイルライセンスデータ７２を含むダイジェスト用ムーブデータ６１とは、ムーブ元機器５１側のAVCファイルライセンデータ３２と関連付けられているタイトル＃１をオリジナルタイトルとして、そのオリジナルタイトルから派生したダイジェストタイトル用のデータであって、ムーブ元機器５１からムーブ先機器５２へのムーブアウト時のムーブ対象データであったことを意味する。
【００５４】
そこで、ムーブ元機器５１は、図９に示されるように、ステップＳmb2において、視聴権４２をタイトル＃１に戻し、タイトル＃１を活性（再生可能）状態にする。即ち、MPEG2ストリーム１１−１、暗号化AVCストリーム１４−１、および暗号化AVCストリーム３１が活性（再生可能）状態となる。また、ムーブ元機器５１は、ステップＳmb3において、ムーブ先機器５２側のダイジェスト用ムーブデータ６１を削除する。
【００５５】
このような図８，図９のステップＳmb1乃至Ｓmb3の処理の結果、ダイジェストタイトルのムーブバックが実現される。ただし、ステップＳmb2，Ｓmb3の各処理の順番は上述した順番に特に限定されず任意の順番としても、ダイジェストタイトルのムーブバックは実現できる。即ち、ステップＳmb1乃至Ｓmb3の処理（ただし、その処理の順番は問わない）等により実現される手法が、本発明の手法のうちのダイジェストタイトルのムーブバックの手法である。
【００５６】
以上説明したように、本発明の手法によれば、ダイジェストタイトルのムーブアウトの際に、ムーブ対象のダイジェスト用ムーブデータが、対応するダイジェストタイトルの派生元のオリジナルタイトルと関連付けられる。これにより、ダイジェストタイトルのムーブアウト時には、派生元のオリジナルタイトルの視聴を禁止することが可能となり、かつ、ムーブバック時には、そのオリジナルタイトルの視聴の禁止を解除することも可能となる。
【００５７】
換言すると、上述した図４乃至図９に示されるムーブ元機器５１は、本発明の手法が適用されていることから、本発明が適用される情報処理装置の一実施の形態であるといえる。一方、ムーブ先機器５２は、任意の機器、即ち、従来から存在する機器であってもよいし、本発明が適用された機器であってもよい。
【００５８】
以上、図４乃至図９を参照して、本発明の手法を説明した。かかる本発明の手法が適用されたムーブ元機器５１、即ち、本発明を適用した情報処理装置の一実施の形態としてのムーブ元機器５１の構成例を示すブロック図が、図１０に示されている。
【００５９】
図１０の例のムーブ元機器５１は、例えば、内蔵する記憶部１０６または外部のリムーバブルメディア１０８をムーブ元として、そのムーブ元に保持されているオリジナルタイトルや、それから派生したダイジェストタイトルをムーブ対象として、ムーブ先機器５２との間でムーブアウトやムーブバックを行うことができる。なお、ムーブ先は、ムーブ先機器５２に限定されない。具体的には例えば、ムーブ元が記憶部１０６である場合には、リムーバブルメディア１０８等をムーブ先とすることも可能である。
【００６０】
このようなムーブ元機器５１は、制御部１０１乃至ドライブ１０７を含むように構成されている。
【００６１】
制御部１０１は、ムーブ元機器５１全体の動作を制御する。例えば、制御部１０１は、後述するコンテンツ処理部１０５や通信制御部１０４等の動作を制御する。その制御を実行する際、制御部１０１は、必要に応じて、ROM（Read Only Memory）１０２、または記憶部１０６に記憶されているプログラムに従って各種の処理を実行することができる。RAM（Random Access Memory）１０３には、制御部１０１が実行するプログラムやデータなどが適宜記憶される。例えば本実施の形態では、上述したダイジェスト用ムーブデータのAVCファイルライセンスデータとオリジナルタイトルとの関連付けを示す情報等がRAM１０３に記憶される。なお、係る情報は、後述する記憶部１０６に記憶されるようにしてもよい。
【００６２】
通信制御部１０４は、外部との通信を制御する。例えば図１０の例では、ムーブアウト時には、通信制御部１０４は、コンテンツ処理部１０５から提供されるムーブ対象、即ち、オリジナルタイトル＃ｋの暗号化AVCストリーム１４―ｋとAVCファイルライセンスデータ１５―ｋとの組（以下、オリジナル用ムーブデータと称する）や、オリジナルタイトル＃ｋから派生したダイジェストタイトルのダイジェスト用ムーブデータ（上述した例ではダイジェスト用ムーブデータ４１）を、ムーブ先機器５２に送信する。なお、本実施の形態では、ムーブ元（記憶部１０６等）においては、ムーブアウト時には、ムーブ対象（元のデータ）の削除が行われずに、単に不活性（再生不可）状態にされ、ムーブバック時には、そのムーブ対象が活性（再生可）状態に戻されるだけであるので、ムーブ先機器５２からのムーブ対象の送信は行われない。また、通信制御部１０４は、制御部１０１から提供された制御信号（例えばコマンド）をムーブ先機器５２に送信することで、ムーブ先機器５２の動作を制御することができる。例えば、ムーブバック時には、削除コマンドが発行されて、ムーブ先機器５２内のムーブ対象が削除される。
【００６３】
この場合、通信制御部１０４とムーブ先機器５２とは、例えば専用のi.LINKケーブルにより接続されることで、上述した通信の制御が実現される。ここで、i.LINKとは、本出願人であるソニー株式会社の商標であり、IEEE（Institute of Electrical and Electronics Engineers）1394の高速デジタルシリアルインターフェースである。従って、通信制御部１０４は、ムーブ先機器５２と制御部１０１との間や、ムーブ先機器５２とコンテンツ処理部１０５との間等で、IEEE1394の規格に従って送受信される各種情報（AVCストリームや制御信号等）の中継を行うことができる。
【００６４】
或いは、通信制御部１０４は、i.LINKの代わりに、USB（Universal Serial Bus）等の別のインタフェースを利用して、上述した通信制御を実現させてもよい。
【００６５】
また例えば、通信制御部１０４は、放送信号（例えば、地上アナログ放送信号、ＢＳアナログ放送信号、地上デジタル放送信号、ＢＳデジタル放送信号等）を受信し、その結果得られるテレビジョン番組の映像信号をコンテンツ処理部１０５に提供することもできる。
【００６６】
また例えば、通信制御部１０４は、インターネット等のネットワークとの接続機能を有し、所定のネットワークを介する同報配信によって送信される所定のデータ等を受信して、それをコンテンツとしてコンテンツ処理部１０５に提供することもできる。
【００６７】
コンテンツ処理部１０５は、コンテンツに対する各種処理をタイトル単位で実行することができる。ここで、各種処理には、オリジナルタイトル＃ｋを作成し、記憶部１０６またはリムーバブルメディア１０８に対する書き込みや読み出しを行い、また、その管理を行うための制御処理が含まれる。また、各種処理には、ダイジェスト用ムーブデータを生成し、その管理を行うための処理等が含まれる。
【００６８】
記憶部１０６は、例えばハードディスクドライブ（適宜HDDと略記する）等から構成され、コンテンツ処理部１０５から提供されるオリジナルタイトル＃ｋ等の各種情報を記憶する。また、記憶部１０６は、記憶されているオリジナルタイトル＃ｋの構成データ等を読み出して、コンテンツ処理部１０５に提供する。
【００６９】
ドライブ１０７は、コンテンツ処理部１０５から提供されるオリジナルタイトル＃ｋ等をリムーバブルメディア１０８に記録させる。また、ドライブ１０７は、リムーバブルメディア１０８に記録されたオリジナルタイトル＃ｋの構成データ等を読み出して、コンテンツ処理部１０５に提供する。
【００７０】
リムーバブルメディア１０８は、磁気ディスク（フレキシブルディスクを含む）、光ディスク（CD-ROM(Compact Disc-Read Only Memory)、DVD(Digital Versatile Disc)，BD（Blu-ray Disc Founders）を含む）、光磁気ディスク（ＭＤ(Mini Disc)を含む）、磁気テープ、もしくは半導体メモリなどで構成することができる。
【００７１】
次に、このような図１０の構成のムーブ元機器５１が、本発明の手法に従って、ダイジェストタイルのムーブアウトを実現するための処理（以下、ダイジェストムーブアウト処理と称する）の一例について、図１１のフローチャートを参照して説明する。
【００７２】
なお、ここでは、ダイジェストタイトルの派生元のオリジナルタイトルは、記憶部１０６に記憶されているとする。
【００７３】
ステップＳ１において、制御部１０１は、暗号化が必要であるか否かを判定する。
【００７４】
ダイジェストタイトルの派生元のオリジナルタイトルが著作権保護対象外であった場合、ステップＳ１において、暗号化が必要ではないと判定されて、処理はステップＳ２に進む。
【００７５】
ステップＳ２において、制御部１０１は、コンテンツ処理部１０５を制御して、オリジナルタイトルのダイジェスト再生情報に基づいて、ダイジェスト用AVCストリームを生成する。
【００７６】
ステップＳ３において、制御部１０１は、通信制御部１０４とコンテンツ処理部１０５を制御して、ダイジェスト用AVCストリームをムーブ先機器５２へ転送する。即ち、ダイジェスト用AVCストリームはコンテンツ処理部１０５によりコピーされて通信制御部１０４に提供されて、通信制御部１０４によりムーブ先機器５２に送信される。一方、コピー元のダイジェスト用AVCストリームはコンテンツ処理部１０５により不活性（再生不可）状態で記憶部１０６に記憶される。
【００７７】
これにより、ダイジェストムーブアウト処理は終了となる。
【００７８】
これに対して、ダイジェストタイトルの生成元のオリジナルタイトルが著作権保護対象であった場合、ステップＳ１において、暗号化が必要であると判定されて、処理はステップＳ４に進む。
【００７９】
ステップＳ４において、制御部１０１は、コンテンツ処理部１０５を制御して、オリジナルタイトルのダイジェスト再生情報に基づいて、暗号化AVCストリームとAVCファイルライセンスデータとからなるダイジェスト用ムーブデータを生成する。具体的には例えば、オリジナルタイトルがタイトル＃１であった場合には、ステップＳ４の処理として、上述した図４のステップＳmo1の処理が実行される。
【００８０】
ステップＳ５において、制御部１０１は、コンテンツ処理部１０５を制御して、ダイジェスト用ムーブデータのAVCファイルライセンスデータと、オリジナルタイトルとを関連付ける。なお、ここでは、この関連付けを示す情報は、例えばRAM１０３に記憶されるとする。具体的には例えばステップＳ４の処理として図４のステップＳmo1の処理が実行された場合には、ステップＳ５の処理として、上述した図５のステップＳmo2の処理が実行される。
【００８１】
ステップＳ６において、制御部１０１は、通信制御部１０４とコンテンツ処理部１０５を制御して、ダイジェスト用ムーブデータをムーブ先機器５２へ転送する。即ち、ダイジェスト用ムーブデータはコンテンツ処理部１０５によりコピーされて通信制御部１０４に提供されて、通信制御部１０４によりムーブ先機器５２に送信される。一方、コピー元のダイジェスト用ムーブデータはコンテンツ処理部１０５により不活性（再生不可）状態で記憶部１０６に記憶される。具体的には例えばステップＳ５の処理として図５のステップＳmo2の処理が実行された場合には、ステップＳ６の処理として、上述した図６のステップＳmo3の処理が実行される。
【００８２】
ステップＳ７において、制御部１０１は、コンテンツ処理部１０５を制御して、オリジナルタイトルの視聴権を無くし、不活性（再生不可）状態にする。
【００８３】
これにより、ダイジェストムーブアウト処理は終了となる。
【００８４】
次に、図１０の構成のムーブ元機器５１が、本発明の手法に従って、ダイジェストタイルのムーブバックを実現するための処理（以下、ダイジェストムーブバック処理と称する）の一例について、図１２のフローチャートを参照して説明する。
【００８５】
ステップＳ２１において、制御部１０１は、通信制御部１０４を制御して、ムーブ先機器５２にAVCファイルライセンスデータが存在するか否かを判定する。
【００８６】
ムーブ先機器５２にAVCファイルライセンスデータが存在しない場合にはムーブバックの実現が不可能であるので、このような場合には、ステップＳ２１の処理でＮＯであると判定されて、ダイジェストムーブバック処理は終了する。
【００８７】
これに対して、ムーブ先機器５２にAVCファイルライセンスデータが存在する場合には、ステップＳ２１の処理でＹＥＳであると判定されて、処理はステップＳ２２に進む。
【００８８】
ステップＳ２２において、制御部１０１は、通信制御部１０４とコンテンツ処理部１０５とを制御して、ムーブ先機器５２内のAVCファイルライセンスデータと、ムーブ元機器５１内のAVCファイルライセンスデータとが一致するか否かの認証を行う。そして、ステップＳ２３において、制御部１０１は、認証に成功したか否かを判定する。
【００８９】
認証に失敗した場合、ステップＳ２３の処理でＮＯであると判定されて、ダイジェストムーブバック処理は終了する。
【００９０】
これに対して、認証に成功した場合、ステップＳ２３の処理でＹＥＳであると判定されて、処理はステップＳ２４に進む。
【００９１】
ステップＳ２４において、制御部１０１は、コンテンツ処理部１０５を制御して、ムーブ元機器５１内のAVCファイルライセンデータと関連付けられたオリジナルタイトルの視聴権を戻し、活性（再生可）状態にする。なお、ここでは、上述したように、この関連付けの情報が、図１１のステップＳ５の処理でRAM１０３に記憶されているので、制御部１０１は、かかる情報を参照することで、視聴権を戻すオリジナルタイトルを特定することができる。
【００９２】
ステップＳ２５において、制御部１０１は、通信制御部１０４を制御して、ムーブ先機器５２側のAVCファイルライセンスデータと、対応する暗号化AVCストリームとを削除する。
【００９３】
これにより、ダイジェストムーブバック処理が終了となる。
【００９４】
具体的には例えば、図８に示される状態でダイジェストムーブバック処理が開始された場合には、ステップＳ２１の処理でＹＥＳであると判定されて、ステップＳ２２の処理として、上述した図８のステップＳmb1が実行され、その結果、ステップＳ２３の処理で認証が成功したと判定されて、処理はステップＳ２４に進む。そして、ステップＳ２４の処理として、上述した図９のステップＳmb2が実行され、ステップＳ２５の処理として、上述した図９のステップＳmb3が実行される。
【００９５】
ところで、上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な図１０のムーブ元機器５１のコンテンツ処理部１０５や制御部１０１等を適宜含むコンピュータや、汎用のパーソナルコンピュータなどに、プログラム記録媒体からインストールされる。
【００９６】
コンピュータにインストールされ、コンピュータによって実行可能な状態とされるプログラムを格納するプログラム記録媒体は、図１０に示されるように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア１０８、または、プログラムが一時的もしくは永続的に格納されるROM１０２や、記憶部１０６を構成するハードディスクなどにより構成される。プログラム記録媒体へのプログラムの格納は、必要に応じて通信制御部１０４を介して、ローカルエリアネットワーク、インターネット、デジタル衛星放送といった、有線または無線の通信媒体を利用して行われる。
【００９７】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【００９８】
また、本発明の手法の処理対象となるオリジナルタイトルは、上述した図３の例のオリジナルタイトルに限定されず、次のような情報を含めば足りる。即ち、ストリームデータと、前記ストリームデータ全体のうちの一部分を切り取ってそれらを繋げ合わせたものと等価な再生をダイジェストタイトルの再生として管理するためのダイジェスト再生情報とを少なくとも含むオリジナルタイトルであれば、本発明の手法を適用することができる。  
【００９９】
この場合、本発明の手法が適用されたムーブ元機器は、次のような処理を実行できる。
【０１００】
即ち、ダイジェストタイトルのムーブ元からムーブ先へのムーブアウトを実現させる処理としては、
ストリームデータとダイジェスト再生情報とに基づいて、ダイジェストタイトルの再生をムーブ先で実現させるデータとして、ダイジェエスト用ムーブデータを生成する生成処理と、
生成処理により生成されたダイジェスト用ムーブデータと、オリジナルタイトルとをムーブ元において関連付ける関連付け処理と、
生成処理により生成されたダイジェスト用ムーブデータを処理対象として、処理対象のムーブ元における状態を不活性状態として、処理対象をムーブ先に対してコピーすることで、処理対象の転送を行う転送処理と、
オリジナルタイトルのムーブ元における状態を不活性状態にする不活性化処理と
を、ムーブ元機器は、所定の順番で個別に実行することができる。
【０１０１】
また、オリジナルタイトルのムーブ先からムーブ元へのムーブバックを実現させる処理として、
ムーブ元における第１のダイジェスト用ムーブデータと、ムーブ先における第２のダイジェスト用ムーブデータとが一致するか否かの認証を行う認証処理と、
認証処理による認証の成功後、関連付け処理により第１のダイジェスト用ムーブデータと関連付けられたオリジナルタイトルのムーブ元における状態を、活性状態にする活性化処理と、
認証処理による認証の成功後、ムーブ先における第２のダイジェスト用ムーブデータを削除する削除処理と
を、ムーブ元機器は、所定の順番で個別に実行することができる。
【図面の簡単な説明】
【０１０２】
【図１】オリジナルタイトルとダイジェストタイトルの概念を説明する図である。
【図２】オリジナルタイトルとダイジェストタイトルの概念を説明する図である。
【図３】オリジナルタイトルの構成例を示す図である。
【図４】本発明の手法によるムーブアウトの例を説明する図である。
【図５】本発明の手法によるムーブアウトの例を説明する図である。
【図６】本発明の手法によるムーブアウトの例を説明する図である。
【図７】本発明の手法によるムーブアウトの例を説明する図である。
【図８】本発明の手法によるムーブバックの例を説明する図である。
【図９】本発明の手法によるムーブバックの例を説明する図である。
【図１０】本発明が適用される情報処理装置の一実施の形態のムーブ元機器の構成例を示す図である。
【図１１】図１０のムーブ元機器が実行するダイジェストムーブアウト処理例を説明するフローチャートである。
【図１２】図１０のムーブ元機器が実行するダイジェストムーブバック処理例を説明するフローチャートである。
【符号の説明】
【０１０３】
１１  MPEG2ストリーム，  １２  ダイジェスト再生情報，  １３  メタ情報，  １４  暗号化AVCストリーム，  １５  AVCファイルライセンスデータ，  １６  AVCストリーム，  ３１  暗号化AVCストリーム，  ３２  AVCファイルライセンスデータ，  ４１  ダイジェスト用ムーブデータ，４２  視聴権  ５１  ムーブ元機器，  ５２  ムーブ先機器，  ６１  ダイジェスト用ムーブデータ，  ７１  暗号化AVCストリーム，  ７２  AVCファイルライセンスデータ，  １０１  制御部，  １０２  ROM，  １０３  RAM，  １０４  通信制御部，  １０５  コンテンツ処理部，  １０６  記憶部，  １０７  ドライブ，  １０８  リムーバブルメディア
【図１】
2008067333.tif 000003
【図２】
2008067333.tif 000004
【図３】
2008067333.tif 000005
【図４】
2008067333.tif 000006
【図５】
2008067333.tif 000007
【図６】
2008067333.tif 000008
【図７】
2008067333.tif 000009
【図８】
2008067333.tif 000010
【図９】
2008067333.tif 000011
【図１０】
2008067333.tif 000012
【図１１】
2008067333.tif 000013
【図１２】
2008067333.tif 000014